【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
所定の領域の位置を示す領域情報と、該領域の特徴情報とを含む埋込情報が付加されている紙文書から画像を入力する画像入力手段と、
前記画像入力手段により入力された前記画像に付加されている各情報を抽出する情報抽出手段と、
前記情報抽出手段により抽出された前記領域情報に対応する、入力された前記画像上の領域と、前記情報抽出手段により抽出された前記特徴情報とを比較し、前記紙文書が追記されていたか否か判断する判断手段と、
を備えること特徴とする画像処理装置。 
【請求項２】
前記情報抽出手段は、さらに前記画像入力手段により入力された前記画像に付加されている前記埋込情報から前記紙文書に形成されている電子文書の保存先情報を抽出し、
前記情報抽出手段により抽出された前記保存先情報に基づき前記電子文書を取得する電子文書取得手段を、さらに備えることを特徴とする請求項１に記載の画像処理装置。 
【請求項３】
前記画像入力手段は、紙文書から２値画像を入力し、
前記電子文書取得手段は、前記情報抽出手段により前記２値画像から抽出された前記保存先情報に基づいて、前記紙文書に対応する多値画像データを取得することを特徴とする請求項１又は２に記載の画像処理装置。 
【請求項４】
文字列の入力を受け付ける文字列入力受付手段と、
前記文字列入力受付手段により受け付けられた前記文字列を用いて、前記電子文書取得手段により取得された前記電子文書内の検索を行う文字列検索手段と、
前記文字列検索手段により検索された前記文字列を含む予め定められた抽出領域を取得する領域取得手段と、
をさらに備えることを特徴とする請求項１乃至３のいずれか１つに記載の画像処理装置。 
【請求項５】
前記領域取得手段は、予め定められた前記抽出領域として前記文字列を含むページ、段落、行又は文字列を中心とした予め定められた範囲内の領域を取得することを特徴とする請求項４に記載の画像処理装置。 
【請求項６】
前記電子文書取得手段で取得した前記電子文書のうち、前記領域取得手段で取得した前記領域内の前記文字列を視覚的に強調して表示する表示処理手段をさらに備えることを特徴とする請求項４又は５に記載の画像処理装置。 
【請求項７】
利用者毎に予め定められた加工処理を行う加工手段をさらに備えることを特徴とする請求項１乃至６のいずれか１つに記載の画像処理装置。 
【請求項８】
所定の領域の位置を示す領域情報と、該領域の特徴情報とを含む埋込情報が付加されている紙文書から画像を入力する画像入力ステップと、
前記画像入力ステップにより入力された前記画像に付加されている各情報を抽出する情報抽出ステップと、
前記情報抽出ステップにより抽出された前記領域情報に対応する、入力された前記画像上の領域と、前記情報抽出ステップにより抽出された前記特徴情報とを比較し、前記紙文書が追記されていたか否か判断する判断ステップと、
を有すること特徴とする画像処理方法。 
【請求項９】
コンピュータを、
所定の領域の位置を示す領域情報と、該領域の特徴情報とを含む埋込情報が付加されている紙文書から画像を入力する画像入力手段と、
前記画像入力手段により入力された前記画像に付加されている各情報を抽出する情報抽出手段と、
前記情報抽出手段により抽出された前記領域情報に対応する、入力された前記画像上の領域と、前記情報抽出手段により抽出された前記特徴情報とを比較し、前記紙文書が追記されていたか否か判断する判断手段と、
して機能させること特徴とする画像処理プログラム。 
【請求項１０】
前記情報抽出手段は、さらに前記画像入力手段により入力された前記画像に付加されている前記埋込情報から前記紙文書に形成されている電子文書の保存先情報を抽出し、
さらに、前記情報抽出手段により抽出された前記保存先情報に基づき前記電子文書を取得する電子文書取得手段として機能させることを特徴とする請求項９に記載の画像処理プログラム。 
【請求項１１】
前記画像入力手段は、紙文書から２値画像を入力し、
前記電子文書取得手段は、前記情報抽出手段により前記２値画像から抽出された前記保存先情報に基づいて、前記紙文書に対応する多値画像データを取得することを特徴とする請求項９又は１０に記載の画像処理プログラム。 
【請求項１２】
さらに、文字列の入力を受け付ける文字列入力受付手段と、
前記文字列入力受付手段により受け付けられた前記文字列を用いて、前記電子文書取得手段により取得された前記電子文書内の検索を行う文字列検索手段と、
前記文字列検索手段により検索された前記文字列を含む予め定められた抽出領域を取得する領域取得手段、
として機能させることを特徴とする請求項９乃至１１のいずれか１つに記載の画像処理プログラム。 
【請求項１３】
前記領域取得手段は、予め定められた前記抽出領域として前記文字列を含むページ、段落、行又は文字列を中心とした予め定められた範囲内の領域を取得することを特徴とする請求項１２に記載の画像処理プログラム。 
【請求項１４】
さらに、前記電子文書取得手段で取得した前記電子文書のうち、前記領域取得手段で取得した前記領域内の前記文字列を視覚的に強調して表示する表示処理手段として機能させることを特徴とする請求項１２又は１３に記載の画像処理プログラム。
【請求項１５】
さらに、利用者毎に予め定められた加工処理を行う加工手段として機能させることを特徴とする請求項９乃至１４のいずれか１つに記載の画像処理プログラム。
【請求項１６】
請求項９乃至１５のいずれか１つに記載された画像処理プログラムを格納したコンピュータ読み取り可能な記録媒体。 
【手続補正２】
【補正対象書類名】明細書
【補正対象項目名】発明の名称
【補正方法】変更
【補正の内容】
【発明の名称】画像処理装置、画像処理方法、画像処理プログラム及びコンピュータ読み取り可能な記録媒体
【手続補正３】
【補正対象書類名】明細書
【補正対象項目名】０００８
【補正方法】変更
【補正の内容】
【０００８】
本発明は、上記に鑑みてなされたものであって、紙文書に対する追記の有無を容易に判定可能とする画像処理装置、画像処理方法、画像処理プログラム及びコンピュータ読み取り可能な記録媒体を提供することを目的とする。 
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
上述した課題を解決し、目的を達成するために、本発明に係る画像処理装置は、所定の領域の位置を示す領域情報と、該領域の特徴情報とを含む埋込情報が付加されている紙文書から画像を入力する画像入力手段と、前記画像入力手段により入力された前記画像に付加されている各情報を抽出する情報抽出手段と、前記情報抽出手段により抽出された前記領域情報に対応する、入力された前記画像上の領域と、前記情報抽出手段により抽出された前記特徴情報とを比較し、前記紙文書が追記されていたか否か判断する判断手段と、を備えること特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】００５１
【補正方法】削除
【補正の内容】
【手続補正４７】
【補正対象書類名】明細書
【補正対象項目名】００５２
【補正方法】削除
【補正の内容】
【手続補正４８】
【補正対象書類名】明細書
【補正対象項目名】００５３
【補正方法】変更
【補正の内容】
【００５３】
本発明によれば、紙文書に対する追記の有無を容易に判定可能になるという効果を奏する。
【手続補正４９】
【補正対象書類名】明細書
【補正対象項目名】００５４
【補正方法】削除
【補正の内容】
【手続補正５０】
【補正対象書類名】明細書
【補正対象項目名】００５５
【補正方法】削除
【補正の内容】
【手続補正５１】
【補正対象書類名】明細書
【補正対象項目名】００５６
【補正方法】削除
【補正の内容】
【手続補正５２】
【補正対象書類名】明細書
【補正対象項目名】００５７
【補正方法】削除
【補正の内容】
【手続補正５３】
【補正対象書類名】明細書
【補正対象項目名】００５８
【補正方法】削除
【補正の内容】
【手続補正５４】
【補正対象書類名】明細書
【補正対象項目名】００５９
【補正方法】削除
【補正の内容】
【手続補正５５】
【補正対象書類名】明細書
【補正対象項目名】００６０
【補正方法】削除
【補正の内容】
【手続補正５６】
【補正対象書類名】明細書
【補正対象項目名】００６１
【補正方法】削除
【補正の内容】
【手続補正５７】
【補正対象書類名】明細書
【補正対象項目名】００６２
【補正方法】削除
【補正の内容】
【手続補正５８】
【補正対象書類名】明細書
【補正対象項目名】００６３
【補正方法】削除
【補正の内容】
【手続補正５９】
【補正対象書類名】明細書
【補正対象項目名】００６４
【補正方法】削除
【補正の内容】
【手続補正６０】
【補正対象書類名】明細書
【補正対象項目名】００６５
【補正方法】削除
【補正の内容】
【手続補正６１】
【補正対象書類名】明細書
【補正対象項目名】００６６
【補正方法】削除
【補正の内容】
【手続補正６２】
【補正対象書類名】明細書
【補正対象項目名】００６７
【補正方法】削除
【補正の内容】
【手続補正６３】
【補正対象書類名】明細書
【補正対象項目名】００６８
【補正方法】削除
【補正の内容】
【手続補正６４】
【補正対象書類名】明細書
【補正対象項目名】００６９
【補正方法】削除
【補正の内容】
【手続補正６５】
【補正対象書類名】明細書
【補正対象項目名】００７０
【補正方法】削除
【補正の内容】
【手続補正６６】
【補正対象書類名】明細書
【補正対象項目名】００７１
【補正方法】削除
【補正の内容】
【手続補正６７】
【補正対象書類名】明細書
【補正対象項目名】００７２
【補正方法】削除
【補正の内容】
【手続補正６８】
【補正対象書類名】明細書
【補正対象項目名】００７３
【補正方法】削除
【補正の内容】
【手続補正６９】
【補正対象書類名】明細書
【補正対象項目名】００７４
【補正方法】削除
【補正の内容】
【手続補正７０】
【補正対象書類名】明細書
【補正対象項目名】００７５
【補正方法】削除
【補正の内容】
【手続補正７１】
【補正対象書類名】明細書
【補正対象項目名】００７６
【補正方法】削除
【補正の内容】
【手続補正７２】
【補正対象書類名】明細書
【補正対象項目名】００７７
【補正方法】削除
【補正の内容】
【手続補正７３】
【補正対象書類名】明細書
【補正対象項目名】００７８
【補正方法】削除
【補正の内容】
【手続補正７４】
【補正対象書類名】明細書
【補正対象項目名】００７９
【補正方法】削除
【補正の内容】
【手続補正７５】
【補正対象書類名】明細書
【補正対象項目名】００８０
【補正方法】削除
【補正の内容】
【手続補正７６】
【補正対象書類名】明細書
【補正対象項目名】００８１
【補正方法】削除
【補正の内容】
【手続補正７７】
【補正対象書類名】明細書
【補正対象項目名】００８２
【補正方法】削除
【補正の内容】
【手続補正７８】
【補正対象書類名】明細書
【補正対象項目名】００８３
【補正方法】削除
【補正の内容】
【手続補正７９】
【補正対象書類名】明細書
【補正対象項目名】００８４
【補正方法】削除
【補正の内容】
【手続補正８０】
【補正対象書類名】明細書
【補正対象項目名】００８５
【補正方法】削除
【補正の内容】
【手続補正８１】
【補正対象書類名】明細書
【補正対象項目名】００８６
【補正方法】削除
【補正の内容】
【手続補正８２】
【補正対象書類名】明細書
【補正対象項目名】００８７
【補正方法】削除
【補正の内容】
【手続補正８３】
【補正対象書類名】明細書
【補正対象項目名】００８８
【補正方法】削除
【補正の内容】
【手続補正８４】
【補正対象書類名】明細書
【補正対象項目名】００８９
【補正方法】削除
【補正の内容】
【手続補正８５】
【補正対象書類名】明細書
【補正対象項目名】００９０
【補正方法】削除
【補正の内容】
【手続補正８６】
【補正対象書類名】明細書
【補正対象項目名】００９１
【補正方法】削除
【補正の内容】
【手続補正８７】
【補正対象書類名】明細書
【補正対象項目名】００９２
【補正方法】削除
【補正の内容】
【手続補正８８】
【補正対象書類名】明細書
【補正対象項目名】００９３
【補正方法】削除
【補正の内容】
【手続補正８９】
【補正対象書類名】明細書
【補正対象項目名】００９４
【補正方法】削除
【補正の内容】